(57)【要約】      （修正有）【課題】洗眼時の押圧による洗眼容器である。従来品は口径が広い為水圧が低かったので水圧を高めることで洗眼効果を上げる為の考案である、小型の為携帯兼用とする。【解決手段】高さ１００ミリのポリエチレン樹脂の円筒を利用、厚さ０、７ミリ−１、０ミリ、円筒の上の部分３５ミリを熱湯に入れそれを６５ミリ下の部分に折り曲げ押し込み外周部より１０ミリ下に押し入れ固定する、折り曲げにより外周部が瞼に当てた時違和感を感じさせない。さらに外周部からはきだし口を１０ミリ下げたことで押圧時に水、液圧力が増化し洗眼効果が上り、更に外周部上部に空気抜き穴をに１ケ所と受け皿底部の４ケ所に空気水、液抜きの穴をに開け水の上下流動を引き出し循環が円滑になった。【選択図】図１
0003109013.tif 000002
【実用新案登録請求の範囲】
【請求項１】
目を洗浄する為その容器を考案、ポリエチレン樹脂の円筒の加工による外径の大、小により内径の水又は液のはきだし口を４ミリから７ミリにすることで水圧の増強を計る、また容器上部分を受け皿にして４ケ所に２ミリの穴を開け上下の水の循環を促進する更に上外周部に１ミリの空気抜きを１ケ所入れ水の流れをよくする。
【請求項２】
使用容器はポリエチレン樹脂の円筒の加工による、適性口径は外形３５０ミリ−４７０ミリまでとする厚さ、０、７ミリ−１、０ミリまでとする、図２の６の空気抜き及び図３の７ａ７ｂ、７ｃ、７ｄの空気抜き及び水、液、抜きを特徴とし、この穴を作ることにより押圧時  水、液の上下の流に流動効果をもたらす。
【請求項３】
容器の加工は２種類あり１ツの容器瓶型の上部分を下部分三分の二のところを折り曲げて加工、又は瓶型円筒の容器上部分へ円筒を受け皿として差し込む加工と２種類とし、携帯兼用である。
【考案の詳細な説明】
【技術の分野】
【０００１】ポリエチレン樹脂の円筒の加工による洗眼容器で小型の為携帯に便利である。
【背景技術】
【０００２】従来の洗眼器は洗浄水圧が緩慢だったこと。
【考案の開示】
【考案が解決しようとする課題】
【０００３】在来の洗眼器より水圧を上げ洗浄効果を高める。
【課題を解決するための手段】
【０００４】容器の外径より内径のはきだし口を４ミリ−７ミリにして押圧する時点で水圧が高まる。
【考案の効果】
【０００５】内径を外径の４ミリから７ミリにして水圧が上り、また空気抜き及び水抜きを設け水流に上下の流動効果を引きだした。
【考案を実施するための最良の形態】
【０００６】ポリエチレン樹脂円筒で長さ１００ミリ×３５ミリの容器を上部３５ミリを下６５ミリの中に折り込み加工した、又瓶型円筒の上部分に受け皿として円筒を差し込み加工する考案もある、水圧を高める為図１の３に示すように２の外周部分より１０ミリ下にはきだし口を入れ又水の流れをよくする為に水抜き穴を図３の７ａｂｃｄに開ける。
【実施例】
【０００７】花粉症などによる眼のかゆみ時の洗眼及び目ヤニ取り等に効果を発揮した。
【図面の簡単な説明】
【０００８】
【図１】この考案による容器
【図２】同じく断面図
【図３】同じく平面図
【符号の説明】
【０００９】１  洗眼容器
２  外周部
３  水又は液のはきだし口
４  押圧部分
５  注入水限度線
６  空気抜き
７ａ  空気、水、液抜き
７ｂ  空気、水、液抜き
７ｃ  空気、水、液抜き
７ｄ  空気、水、液抜き
【図１】
0003109013.tif 000003
【図２】
0003109013.tif 000004
【図３】
0003109013.tif 000005
【手続補正書】
【提出日】平成16年6月28日(2004.6.28)
【手続補正１】
【補正対象書類名】実用新案登録請求の範囲
【補正対象項目名】全文
【補正方法】変更
【補正の内容】
【実用新案登録請求の範囲】
【請求項１】
目を洗浄するための洗眼容器を考案、従来の広口カップによる減圧の解消及びモーター使用によるコスト高の解消を図る。丸管容器の弾力性樹脂で形成され、内部（水タンク）に水をいれ、上縁部に顔面の目もとを覆って洗眼する容器であり、容器の側壁は肉薄で弾性変形可能であり、押圧により水圧を上げることを特徴とする洗眼容器。
【請求項２】
請求項１において容器は、上縁部のみ（目を当てる部分）形成方法を２種類とする。１つは瓶型に管状の上縁部を差し込み固定したもの。もう１つは瓶型容器の上半分を下半分に陥没させたもの。
以下、この上縁部以外は同じ構造で、まず、上縁部の目を当てる部分を中の瓶型水タンクのはき出し口より１０ミリ上に固定する。素材の厚さは０．７ミリ〜１．０ミリまでとし、水圧及び水の循環を良くする為に上縁部に１ヶ所空気抜きの穴を開ける。更に上縁部と下の水タンクとの間に４ヶ所の穴を開け水の循環口を作り、水タンクの側壁の押圧を繰り返すことにより眼球及びまぶたを洗浄することを特徴とする請求項１の記載の洗眼容器。
【請求項３】
容器の作成方法は、瓶型の容器水タンク部分に上縁部分の円筒を受け皿として差し込む作成方法と、１本の瓶型を利用して上縁部を陥没させる方法の２種類である。尚、水の噴出し口は半円形または円錐形を使用することを特徴とする請求項１の記載の洗眼容器。
【手続補正２】
【補正対象書類名】明細書
【補正対象項目名】全文
【補正方法】変更
【補正の内容】
【考案の詳細な説明】
【技術の分野】
【０００１】  従来の洗眼器はカップ状のもので目に当てる部分が広口のため洗浄効果が無い、本製品は水圧を上げることを引き出し洗浄効果が図れ更に手動押圧のため製品の簡略化が図れ、低コストを図る洗眼容器。
【背景技術】
【０００２】  従来の洗眼器は目を覆う部分が広く洗浄水圧が緩慢で上向き使用の不便さがある、又他の商品でモータ採用による，コスト高の欠点。
【考案の開示】
【考案が解決しようとする課題】
【０００３】  在来の洗眼器は広口カップの為水圧に限度があること、上向き使用による欠点、他の洗眼器でモー−タ利用によるコスト高の欠点をを解決する為考案の、洗眼容器。
【課題を解決するための手段】
【０００４】  洗眼容器（１）は円筒形の上縁部を人の目の大きさに作る、（２）上縁部を（６）の水タンク部分に差し込む際（６）の（３）水はきだし口部分を上縁部より１０ミリ下に固定する、受け皿（８）と水タンク（６）の境目に４ヶ所の穴を開け水循環口にする、上縁部の縁に１ヶ所穴を開け空気抜きとする。本考案は以上の構成からなる目の洗眼容器。
【考案の効果】
【０００５】  本考案を構成することで、目の洗浄において水圧及び水循環が良く重い汚れでも循環口を抜け下に落ち完全に洗浄できる洗眼容器。
【考案を実施するための最良の形態】
【０００６】（イ）洗眼容器（２）上縁部を目の周囲に合わせ円形に作る。
（ロ）上縁部に（７）空気抜き１ヶ所（６）水タンクと（８）上縁受け皿の境目に４ヶ所の穴を開け水循環口を設ける。
（ハ）上縁部（８）受け皿を（６）水タンク部分に差し込み円筒の形状に作る。
（ニ）水を（２）上縁部から（５）の注入水限度線まで入れ上縁部（２）に目を当て（６）の水タンク部分を指で繰り返し押し、水のポンピング作用により目の洗浄をより良くし重い汚れも良く落ち完全に洗浄できる洗眼容器
【実施例】
【０００７】  花粉症などによる眼のかゆみの洗眼及び目ヤニ取りドライアイ等に効果があり目の汚れを良く落とす洗眼容器。
【図面の簡単な説明】
【０００８】
【図１】本考案の洗眼容器
【図２】本考案の断面図
【図３】本考案の平面図
【符号の説明】
【０００９】１  洗眼容器
２  上縁部目を当てる部分
３  水のはきだし口
４  押圧部指で押す部分
５  注入水限度線
６  注水タンク
７  空気抜き
８  上縁部受け皿
９  ａ水の循環口
９  ｂ水の循環口
９  ｃ水の循環口
９  ｄ水の循環口
【手続補正３】
【補正対象書類名】図面
【補正対象項目名】全図
【補正方法】変更
【補正の内容】
【図１】
0003109013.tif 000006
【図２】
0003109013.tif 000007
【図３】
0003109013.tif 000008
【手続補正書】
【提出日】平成16年9月13日(2004.9.13)
【手続補正１】
【補正対象書類名】実用新案登録請求の範囲
【補正対象項目名】全文
【補正方法】変更
【補正の内容】
【実用新案登録請求の範囲】
【請求項１】
１）  目を洗浄するための洗眼容器を考案、従来の広口カップによる減圧の解消及びモーター使用によるコスト高の解消を図る。丸管容器の弾力性樹脂で形成され、内部の水タンクに水をいれ、上縁部を顔面の目もとを覆って洗眼する容器であり、容器の側壁は肉薄で弾性変形可能であり、押圧により水圧を上げることを特徴とする洗眼容器。
２）
請求項１において容器は、上縁部のみ目を当てる部分の形成方法を２種類とする。
（１）  瓶型に管状の上縁部を差し込み固定する。
（２）  瓶型容器の上半分を下半分に陥没させたもの。
（３）  以下、この上縁部以外は同じ構造とする。
（４）  上縁部の目を当てる部分を中の瓶型水タンクのはき出し口より１０ミリ上に固定する。
（５）  素材の厚さは０．７ミリ〜１．０ミリまでとし、
（６）  水圧及び水の循環を良くする為に上縁部に１ヶ所空気抜きの穴を開ける。
（７）  更に上縁部と下の水タンクとの間に４ヶ所の穴を開け水の循環口を作る、以上水タンクの側壁の押圧を繰り返すことにより眼球及びまぶたを洗浄することを特徴とする請求項１の記載の洗眼容器。
３）
水の噴出し口は半円形または円錐形の形態で使用することを特徴とする請求項１  、記載の洗眼容器。
以上からなる目の洗眼容器
【手続補正２】
【補正対象書類名】明細書
【補正対象項目名】全文
【補正方法】変更
【補正の内容】
【考案の詳細な説明】
【技術の分野】
【０００１】  従来の洗眼器はカップ状のもので目に当てる部分が広口のため洗浄効果が無い、本製品は水圧を上げることを引き出し洗浄効果が図れ更に手動押圧のため製品の簡略化が図れ、低コストを図る洗眼容器。
【背景技術】
【０００２】  従来の洗眼器は目を覆う部分が広く洗浄水圧が緩慢で上向き使用の不便さがある、又他の商品でモータ採用による，コスト高の欠点。
【考案の開示】
【考案が解決しようとする課題】
【０００３】  在来の洗眼器は広口カップの為水圧に限度があること、上向き使用による欠点、他の洗眼器でモータ利用によるコスト高の欠点をを解決する為考案の、洗眼容器。
【課題を解決するための手段】
【０００４】  洗眼容器は円筒形の上縁部を人の目の大きさに作る、上縁部を水タンク部分に差し込む際の水はきだし口部分を上縁部より１０ミリ下に固定する、受け皿と水タンクの境目に４ヶ所の穴を開け水循環口にする、上縁部の縁に１ヶ所穴を開け空気抜きとする。本考案は以上の構成からなる目の洗眼容器。
【考案の効果】
【０００５】  本考案を構成することで、目の洗浄において水圧及び水循環が良く重い汚れでも循環口を抜け下に落ち完全に洗浄できる洗眼容器。
【考案を実施するための最良の形態】
【０００６】      （イ）洗眼容器上縁部を目の周囲に合わせ円形に作る。
（ロ）上縁部受け皿を水タンク部分に差し込み円筒の形状に作る。
（ハ）上縁部に空気抜き１ヶ所、水タンクと上縁受け皿の境目に４ヶ所の穴を開け水循環口を設ける。
（ニ）水を上縁部からの注入水、限度線まで入れ上縁部に目を当て水タンク部分を指で繰り返し押し、水のポンピング作用により目の洗浄をより良くし重い汚れも良く落ち完全に洗浄できる洗眼容器
【実施例】
【０００７】  花粉症などによる眼のかゆみの洗眼及び目ヤニ取りドライアイ等に効果があり目の汚れを良く落とす洗眼容器。
【図面の簡単な説明】
【０００８】
【図１】本考案の洗眼容器
【図２】本考案の断面図
【図３】本考案の平面図
【符号の説明】
【０００９】    １  洗眼容器
２  上縁部目を当てる部分
３  水のはきだし口
４  押圧部指で押す部分
５  注入水限度線
６  注水タンク
７  空気抜き
８  上縁部受け皿
９  ａ水の循環口
９  ｂ水の循環口
９  ｃ水の循環口
９  ｄ水の循環口
【手続補正３】
【補正対象書類名】図面
【補正対象項目名】全図
【補正方法】変更
【補正の内容】
【図１】
0003109013.tif 000009
【図２】
0003109013.tif 000010
【図３】
0003109013.tif 000011
【手続補正書】
【提出日】平成16年12月22日(2004.12.22)
【手続補正１】
【補正対象書類名】実用新案登録請求の範囲
【補正対象項目名】全文
【補正方法】変更
【補正の内容】
【実用新案登録請求の範囲】
【請求項１】
洗眼容器であって、丸管容器は弾力性樹脂で形成され、上緑部に噴出し口を設け、容器の側壁は肉薄で弾性変形可能であり、押圧により水圧を上げることを特徴とする洗眼容器。
【請求項２】
請求項１において容器は、
（１）瓶型に管状の上縁部を差し込み固定したもの又は瓶型容器の上半分を下半分に陥没させたもの。
（２）上縁部の目を当てる部分を中の瓶型水タンクの噴出し口より１０ミリ上に固定する。
（３）素材の厚さは０．７ミリー１．０ミリまでとする。
（４）水圧及び水の循環を良くする為に上縁部に１ヶ所空気抜きの穴をあける。
（５）更に上縁部と下の水タンクとの間に４ヶ所の穴をあけ水の循環口を作る、以上水タンクの側壁の押圧を繰り返すことにより眼球及びまぶたを洗浄することを特徴とする請求項１記載の洗眼容器。
【請求項３】
水の噴出し口は半円形又は円錐形の形態であることを特徴とする請求項１又は２記載の洗眼容器。